(57)【特許請求の範囲】
【請求項１】
集合住宅の各住戸に設置される住宅親機と、該住宅親機と接続され住戸の玄関に設置される玄関子機と、各住戸の住宅親機が接続される共用親機とを備えるインターホンシステムにおいて、  前記住宅親機には個別識別符号と１つまたは複数のグループ識別符号が付され、  前記共用親機は、前記グループ識別符号を選択するグループ選択手段と、該グループ選択手段で選択されたグループ識別符号を付した放送信号を送信する放送送信手段とを備え、  前記住宅親機は、前記放送送信手段から送信された放送信号を受信し、前記放送信号に付されたグループ識別符号が自身に付されたグループ識別符号と一致する場合に放送を行う放送受信手段を備え、 前記玄関子機は、接続される住宅親機のグループ識別符号を変更または追加するグループ設定手段を備え、該グループ設定手段で変更または追加されたグループ識別符号は、接続される前記住宅親機と共用親機に記憶されることを特徴とするインターホンシステム。
【請求項２】
前記共用親機は、送信する放送信号の種別を選択する放送種別選択手段を備え、前記放送送信手段は前記放送種別選択手段で選択された種別の情報を付して前記放送信号を送信し、  前記玄関子機は、接続された住宅親機で受信した放送信号を放送する玄関放送手段を備え、  前記住宅親機は、受信した前記放送信号に付されている種別の情報に応じて前記玄関放送手段での放送の可否を判断することを特徴とする請求項１記載のインターホンシステム。
【請求項３】
前記共用親機と接続される集合玄関機をさらに備え、該集合玄関機は、前記放送送信手段から送信された放送信号を受信し、前記放送信号に付された種別の情報に応じて放送を行う集合玄関放送手段を備えることを特徴とする請求項２記載のインターホンシステム。
【請求項４】
前記住宅親機は、前記放送信号の種別ごとに放送の音量を設定する音量設定手段を備えることを特徴とする請求項２または３記載のインターホンシステム。
【請求項５】
前記住宅親機は、自身に付されたグループ識別符号に対応するグループを表示する表示部を備えることを特徴とする請求項１〜４のいずれか１項に記載のインターホンシステム。
【発明の詳細な説明】
【技術分野】
【０００１】
本発明は、集合住宅に設置されるインターホンシステムに関し、特に個別の住戸に住宅親機と玄関子機を備え、管理室に共用親機を備え、共用親機から住宅親機に対し告知放送を行うことのできるインターホンシステムに関する。
【背景技術】
【０００２】
インターホンシステムは、住宅内に住宅親機を備え、住宅の玄関に玄関子機を備え、両者が伝送路で接続されて、玄関子機と住宅親機の間で通話等を可能としている。また、住宅親機には、浴室やトイレなどに設置されるコールボタンや、火災感知器などとも接続され、住宅内のセキュリティに関する機能を集約することも行われている。
【０００３】
集合住宅に設置されるインターホンシステムにおいては、各住戸に住宅親機と玄関子機が設けられ、全ての住宅親機はさらに管理室などに設置される共用親機に接続される。これにより、例えば一つの住戸で火災が発生し、火災感知器が作動した場合、当該住戸の住宅親機で発報をなすと共に、共用親機に対しても情報を伝達し、そこから他の住戸の住宅親機に対しても、火災発生を放送で知らせるといった機能を持たせることができる。
【０００４】
このように、集合住宅に設置されるインターホンシステムとして、住宅親機を共用親機に接続することで、災害発生時など所定の場合に、共用親機から住宅親機に対し一斉放送を行うことができるものが知られていた。このようなインターホンシステムとしては、例えば特許文献１に挙げるようなものがある。
【先行技術文献】
【特許文献】
【０００５】
【特許文献１】特開２００２−２６０１１６号公報
【発明の概要】
【発明が解決しようとする課題】
【０００６】
従来のインターホンシステムでは、共用親機からの放送は、全ての住宅親機に対して行われる一斉放送だけである。これに対し、共用親機からの放送をより多目的に利用しようとした場合、一斉放送だけでなく、特定の棟の住戸にのみ放送を行ったり、あるいは管理組合の理事の住戸にのみ放送を行うといったように、一定のグループの住戸に対し放送を行うことができるようにすることが望まれる。
【０００７】
本発明は前記課題を鑑みてなされたものであり、特定のグループの住戸に対する放送を共用親機から行うことのできるインターホンシステムを提供することを目的とする。
【課題を解決するための手段】
【０００８】  前記課題を解決するため、本発明に係るインターホンシステムは、集合住宅の各住戸に設置される住宅親機と、該住宅親機と接続され住戸の玄関に設置される玄関子機と、各住戸の住宅親機が接続される共用親機とを備えるインターホンシステムにおいて、  前記住宅親機には個別識別符号と１つまたは複数のグループ識別符号が付され、  前記共用親機は、前記グループ識別符号を選択するグループ選択手段と、該グループ選択手段で選択されたグループ識別符号を付した放送信号を送信する放送送信手段とを備え、  前記住宅親機は、前記放送送信手段から送信された放送信号を受信し、前記放送信号に付されたグループ識別符号が自身に付されたグループ識別符号と一致する場合に放送を行う放送受信手段を備え、 前記玄関子機は、接続される住宅親機のグループ識別符号を変更または追加するグループ設定手段を備え、該グループ設定手段で変更または追加されたグループ識別符号は、接続される前記住宅親機と共用親機に記憶されることを特徴として構成されている。【００１０】
さらに、本発明に係るインターホンシステムは、前記共用親機は、送信する放送信号の種別を選択する放送種別選択手段を備え、前記放送送信手段は前記放送種別選択手段で選択された種別の情報を付して前記放送信号を送信し、
前記玄関子機は、接続された住宅親機で受信した放送信号を放送する玄関放送手段を備え、
前記住宅親機は、受信した前記放送信号に付されている種別の情報に応じて前記玄関放送手段での放送の可否を判断することを特徴として構成されている。
【００１１】
さらにまた、本発明に係るインターホンシステムは、前記共用親機と接続される集合玄関機をさらに備え、該集合玄関機は、前記放送送信手段から送信された放送信号を受信し、前記放送信号に付された種別の情報に応じて放送を行う集合玄関放送手段を備えることを特徴として構成されている。
【００１２】
そして、本発明に係るインターホンシステムは、前記住宅親機は、前記放送信号の種別ごとに放送の音量を設定する音量設定手段を備えることを特徴として構成されている。
【００１３】
また、本発明に係るインターホンシステムは、前記住宅親機は、自身に付されたグループ識別符号に対応するグループを表示する表示部を備えることを特徴として構成されている。
【発明の効果】
【００１４】
本発明に係るインターホンシステムによれば、住宅親機に個別識別符号の他、グループ識別符号を付し、共用親機にグループ選択手段を設けると共に、放送信号にグループ識別符号を付して、住宅親機では自身に付されたグループ識別符号が付された放送信号を放送することにより、一斉放送だけでなくグループ単位での放送を行うことができ、より多目的に利用できる放送を行うことができる。
【００１５】
また、本発明に係るインターホンシステムによれば、玄関子機にグループ設定手段を設けたので、住戸ごとに簡易にグループ設定を行うことができる。
【００１６】
さらに、本発明に係るインターホンシステムによれば、放送種別により玄関子機でも放送を行うことができる。
【００１７】
さらにまた、本発明に係るインターホンシステムによれば、放送種別により集合玄関でも放送を行うことができる。
【００１８】
そして、本発明に係るインターホンシステムによれば、放送種別ごとに音量調節を自動的に行うことができ、利用者にとって重要な放送を聞き逃さないようにすることができる。
【００１９】
また、本発明に係るインターホンシステムによれば、表示部でグループを表示するので、グループ設定をより容易にすることができる。
【図面の簡単な説明】
【００２０】
【図１】本実施形態におけるインターホンシステムの全体構成図である。
【図２】インターホンシステムを構成する住宅親機と玄関子機、共用親機及び集合玄関機のブロック図である。
【図３】住宅親機及び共用親機における個別識別符号とグループ識別符号の記憶内容を表した図である。
【図４】信号記憶領域の状態を表す図である。
【発明を実施するための形態】
【００２１】
本発明の実施形態について図面に沿って詳細に説明する。図１には、本実施形態におけるインターホンシステムの全体構成図を示している。本実施形態のインターホンシステムは、集合住宅に設置されるものである。集合住宅には、複数の住戸と、管理室と、少なくとも１つの集合玄関が存在し、各住戸は、共用廊下にそれぞれ個別の玄関を有している。なお、図１には住戸を３つ表しているが、実際にはより多数の住戸が存在する。
【００２２】
インターホンシステムは、各住戸に住宅親機１を備え、住宅親機１はそれぞれ当該住戸の玄関に設けられる玄関子機２と接続されていて、玄関子機２での呼び出し操作によって住宅親機１が音声を発生すると共に、住宅親機１と玄関子機２との間で通話することができる。各住戸の住宅親機１は、それぞれ制御装置５を介して管理室に設置される共用親機３と接続されている。また、集合玄関には集合玄関機４が設置され、これも制御装置５を介して共用親機３と接続されている。
【００２３】
住宅親機１は、住戸内に配置される火災感知器６や、浴室、トイレなどに配置されるコールボタン７、台所などに配置されるガス漏れ検知器８と接続され、これらからの警報を受信して発報すると共に、火災感知器６で火災を検知した場合やガス漏れ検知器８でガス漏れを検知した場合には、共用親機３にも警報の情報を送信する。
【００２４】
図２には、インターホンシステムを構成する住宅親機１と玄関子機２、共用親機３及び集合玄関機４のブロック図を示している。この図に示すように、住宅親機１は、玄関子機２や共用親機３及び集合玄関機４との通話を行う通話手段１０と、共用親機３からの放送信号を受信する放送受信手段１１と、放送を行う際の音量を設定する音量設定手段１２と、受信した放送信号を録音する放送録音手段１３と、録音した放送信号を再生する放送再生手段１４と、放送信号の録音の可否につき設定を行う録音設定手段１５とを有している。住宅親機１は、さらに受信あるいは録音した放送信号を音声出力する音声出力部１７と、放送信号に文字情報が含まれている場合にはこれを表示すると共に、各種情報を表示する表示部１６とを有している。表示部１６はディスプレイで構成されており、音声出力部は、スピーカーで構成されている。
【００２５】
玄関子機２は、住宅親機１を呼び出す呼び鈴部３０と、住宅親機１との通話を行う通話手段３１と、接続された住宅親機１のグループ設定を行うグループ設定手段３２と、共用親機３からの放送を行う玄関放送手段３３とを有している。
【００２６】
共用親機３は、放送信号を送信する放送送信手段４０と、放送を行うグループを選択するグループ選択手段４１と、行う放送の種別を選択する放送種別選択手段４２と、特定の住宅親機１に放送あるいは通話を行う際に住戸を選択する個別選択手段４３と、各住戸のグループ設定を行うグループ設定手段４４と、住宅親機１または集合玄関機４と通話を行う通話手段４７とを有している。共用親機３はさらに、放送の音声を入力する音声入力部４５と、放送に文字情報を含める場合に文章を入力する文章入力部４６とを有し、これらが放送送信手段４０に接続されている。
【００２７】
集合玄関機４は、特定の住宅親機１を呼び出す呼び鈴部５０と、呼び出した住宅親機１との通話を行う通話手段５１と、共用親機３からの放送を行う集合玄関放送手段５２とを有している。
【００２８】
なお、本実施形態では、住宅親機１と玄関子機２、共用親機３及び集合玄関機４の構成につき、構成要素を機能別に表しているが、マイクロプロセッサなどの処理手段とメモリーなどの記憶手段に各機能を集約して、各構成要素の機能を実現するようにしてもよい。各設定手段は、それぞれ設定を行うための操作部を備えるが、これらは別々に設けてもよいし、また、集約して設けるようにしてもよい。
【００２９】
各住戸の住宅親機１には、固有の個別識別符号と、グループ分けするためのグループ識別符号とが、それぞれ割り振られている。図３には、住宅親機及び共用親機における個別識別符号とグループ識別符号の記憶内容を表した図を示している。個別識別符号は、住宅親機に固有のものであるから、各住宅親機に１つずつが割り振られている。図３では、住宅親機ａには“０００１”が、住宅親機ｂには“０００２”が、住宅親機ｃには“０００３”が、それぞれ割り振られており、これらは各住宅親機に記憶されている。
【００３０】
グループ識別符号は、各住宅親機に対し１つまたは複数が割り当てられている。住戸のグループ分けは任意に行うことができる。例えば、複数の住棟がある場合における住棟ごとのグループや、管理組合の理事のグループ、趣味のサークルのグループなどがあり、これら各グループごとに固有のグループ識別符号が割り振られており、各グループに属する住戸の住宅親機に対し、グループ識別符号が設定される。図３では、住宅親機ａには“０Ａ”と“０Ｂ”及び“０Ｃ”のグループ識別符号が設定され、住宅親機ｂには“０Ａ”と“０Ｂ”及び“０Ｄ”のグループ識別符号が設定され、住宅親機ｃには“０Ａ”と“０Ｅ”のグループ識別符号が設定されている。
【００３１】
共用親機３には、全ての住宅親機の個別識別符号とグループ識別符号とが、関連付けて記憶されている。共用親機３では、グループ設定手段４４で各住宅親機のグループ識別符号の追加、変更を行うことができる。共用親機３のグループ設定手段４４は、個別識別符号とグループ識別符号の入力が可能となるように構成されている。共用親機３のグループ設定手段４４では、グループ識別符号と共に個別識別符号も入力できるようになっており、グループ単位で個別識別符号を追加あるいは削除することができる。共用親機３のグループ設定手段４４で設定されたグループ識別符号は、住宅親機１に送信されて記憶される。このように、共用親機３では、全ての住宅親機１について、グループ設定を行うことができる。
【００３２】
また、グループ識別符号の設定は、各住戸に設けられる玄関子機２からでも行うことができる。玄関子機２のグループ設定手段３２は、接続されている住宅親機１のグループ設定のみを行うことができる。このため、玄関子機２のグループ設定手段３２では、グループ識別符号の入力が可能となるように構成されている。グループ識別符号の入力には入力手段が必要となるが、玄関子機２のグループ設定手段３２は、それ自身に入力手段を備えていてもよいし、外部の入力端末を接続できるように構成されていてもよい。また、グループ設定手段３２では、グループ設定を行う際に、接続された住宅親機１に既に設定されているグループの情報を確認することができる。
【００３３】
玄関子機２のグループ設定手段３２で設定されたグループ識別符号は、接続されている住宅親機１に記憶されると共に、共用親機３にも情報が送信され、共用親機３にも個別識別符号と関連付けて記憶される。
【００３４】
共用親機３からの放送は、全ての住戸に対してなされる一斉放送と、特定のグループの住戸に対してなされるグループ放送と、特定の住戸に対してなされる個別放送と、火災等の災害が発生した際の緊急放送に分かれている。緊急放送は、全ての住戸に対してなされる点では一斉放送と同様であるが、他の放送が行われている間であっても、割り込んで放送することができる。
【００３５】
一斉放送とグループ放送、個別放送については、それぞれ録音の可否を設定することができる。これらの放送の種類及び録音可否の情報により、放送種別が決定される。すなわち、本実施形態では、一斉放送、グループ放送、個別放送のそれぞれ録音可の放送種別と、一斉放送、グループ放送、個別放送のそれぞれ録音不可の放送種別と、緊急放送の放送種別の、７種類の放送種別を設定することができる。
【００３６】
共用親機３の放送種別選択手段４２では、これらの放送種別を選択することができる。放送を行う際には、まず放送種別選択手段４２で放送種別を選択する。選択した放送種別が緊急放送であった場合には、そのままマイクからなる音声入力部４５によって放送を開始することができる。また、予め文章入力部４６で入力しておいた文章を放送に含めることも可能である。放送送信手段４０は、音声入力部４５及び文章入力部４６からの信号に放送種別の情報を含めて放送信号とし、制御装置５を介して各住宅親機１に対して送信する。
【００３７】
放送種別選択手段４２で選択した放送種別が一斉放送であった場合も、そのまま放送を開始することができ、放送送信手段４０は、音声入力部４５及び文章入力部４６からの信号に放送種別の情報を含めて放送信号とし、制御装置５を介して各住宅親機１に対して送信する。
【００３８】
放送種別選択手段４２で選択した放送種別がグループ放送であった場合は、さらにグループ選択手段４１で放送するグループを選択する必要がある。グループ選択手段４１では、１つまたは複数のグループ識別符号を選択する。その後に放送を開始することができ、放送送信手段４０は、音声入力部４５及び文章入力部４６からの信号に放送種別及びグループ識別符号の情報を含めて放送信号とし、制御装置５を介して各住宅親機１に対して送信する。
【００３９】
放送種別選択手段４２で選択した放送種別が個別放送であった場合は、さらに個別選択手段４３で放送する住戸を選択する必要がある。個別選択手段４３では、１つまたは複数の個別識別符号を選択する。その後に放送を開始することができ、放送送信手段４０は、音声入力部４５及び文章入力部４６からの信号に放送種別及び個別識別符号の情報を含めて放送信号とし、制御装置５を介して住宅親機１に対して送信する。
【００４０】
共用親機３から送信される放送信号は、全ての住宅親機１に対して送信される。住宅親機１では、放送信号に付されている放送種別の情報と、グループ識別符号または個別識別符号の情報に基づき、当該放送信号を住戸で放送するか否かを判別する。
【００４１】
放送信号を受信した住宅親機１の放送受信手段１１は、放送種別が緊急放送であった場合、当該放送信号を放送する。放送は、音声のみであれば音声出力部１７からなされ、文字情報も含まれていれば、表示部１６でも表示することで行われる。放送種別が緊急放送の場合には、仮に他の種別の放送が行われていても、それを中断して最優先で放送がなされる。放送種別が一斉放送であった場合も、放送信号を受信した住宅親機１の放送受信手段１１は当該放送信号を放送する。
【００４２】
放送種別がグループ放送であった場合、放送信号を受信した住宅親機１の放送受信手段１１は、当該放送信号に含まれるグループ識別符号が、自身が記憶するグループ識別符号のいずれかと一致するか否かを判別する。一致した場合には、放送受信手段１１は当該放送信号を放送する。一方、一致しなかった場合には、放送受信手段１１は当該放送信号を放送しない。グループ放送の場合には、当該グループのグループ識別符号を記憶した住宅親機１のみで放送が行われることにより、グループ単位の放送を行うことが可能となっている。
【００４３】
放送種別が個別放送であった場合、放送信号を受信した住宅親機１の放送受信手段１１は、当該放送信号に含まれる個別識別符号が、自身の個別識別符号と一致するか否かを判別する。一致した場合には、放送受信手段１１は当該放送信号を放送する。一方、一致しなかった場合には、放送受信手段１１は当該放送信号を放送しない。個別放送の場合にも、共用親機３で選択した個別識別符号と一致する個別識別符号を有する住宅親機１のみで放送が行われることにより、個別の放送を行うことが可能となっている。
【００４４】
住宅親機１の音量設定手段１２は、放送受信手段１１に対し、放送種別ごとに音量を設定することができる。例えば、一斉放送については音量を小さく、グループ放送と個別放送については音量を大きくするなどといったことが可能となる。放送受信手段１１は、この設定情報につき記憶しておき、受信した放送信号の種別ごとに音声出力部１７での音量を調節する。ただし、放送種別のうち緊急放送については、音量設定手段１２で設定することができないようになっており、常に最大音量で放送がなされる。
【００４５】
図１に示されているように、集合玄関機４も共用親機３と接続されているから、共用親機３から放送信号が送信された際に、これを受信する。集合玄関機４では、受信した放送信号の放送種別が緊急放送であった場合には、集合玄関放送手段５２で当該放送信号を放送する。それ以外の放送種別であった場合には、放送を行わない。
【００４６】
また、住宅親機１の放送受信手段１１は、受信した放送信号の放送種別が緊急放送であった場合、接続されている玄関子機２の玄関放送手段３３に当該放送信号を放送させる。それ以外の放送種別であった場合、玄関放送手段３３による放送は行われない。このように、放送種別によっては集合玄関機４や玄関子機２でも放送を行うことができ、より確実な放送伝達をなすことができる。なお、ここでは放送種別が緊急放送であった場合に、集合玄関機４や玄関子機２で放送するようにしているが、他の種別の場合に放送するように設定してもよい。
【００４７】
住宅親機１の表示部１６は、前述のように、放送信号に含まれる文字情報を表示することができる他、放送信号に含まれる放送種別やグループ識別符号に応じた表示をなすことができる。例えば、放送信号がグループ放送であった場合に、グループ放送である旨、及びどのグループの放送であるかを表示することができる。グループ識別符号には、それぞれ対応する名称が設定されており、少なくとも共用親機３に記憶されている。住宅親機１にグループ識別符号とグループの名称とが対応付けて記憶されていれば、表示部１６ではグループ識別符号に対応する名称を表示させることができる。または、住宅親機１にグループの名称を記憶させていない場合には、グループ識別符号に対応する名称を共用親機３から呼び出し、それを表示部１６で表示させるようにしてもよい。
【００４８】
これまで説明したように、住宅親機１にグループ識別符号を設定し、共用親機３から送信する放送信号にグループ識別符号を付し、住宅親機１では自身に設定されたグループ識別符号を有する放送信号を受信した場合に、当該放送信号を放送するようにしたことで、集合住宅のインターホンシステムにおいてグループ単位での放送を行うことができ、利便性を高くすることができる。また、共用親機３のみならず、玄関子機２からもグループ識別符号の変更、追加を行うことができるので、住戸ごとのグループ設定を簡易に行うことができる。
【００４９】
次に、住宅親機１における録音機能につき、詳細に説明する。図２に示すように、住宅親機１には、受信した放送信号を録音するための機能を実現するために、放送信号を録音する放送録音手段１３と、録音の可否設定を行う録音設定手段１５とを備え、さらに録音した放送信号を再生する放送再生手段１４が設けられている。
【００５０】
放送録音手段１３は、放送信号を記憶する信号記憶領域２０と、受信した放送信号を録音可否の設定に基づき信号記憶領域に記憶させる書き込み手段２１と、信号記憶領域２０に記憶された放送信号につき、消去を禁止する保護の設定を行う保護設定手段２２とを有している。放送録音手段１３は、受信した放送信号のみならず、通話手段１０での通話についても録音することができる。信号記憶領域２０は、メモリーにより構成されており、書き込み手段２１は、アナログ信号である放送信号をデジタル信号に変換するＡ／Ｄ変換部を備えている。
【００５１】
録音設定手段１５では、放送種別ごと及びグループ識別符号ごとに録音の可否を設定することができる。前述のように、放送種別には録音可否の情報も含まれるので、住宅親機１の録音設定手段１５で録音可否を設定できるのは、録音可能に設定された一斉放送またはグループ放送あるいは個別放送である。さらに、グループ放送のうち、自身に設定されたグループの一部のみを録音可能とすることができる。
【００５２】
また、録音設定手段１５では、住宅親機１の通話手段１０と玄関子機２の通話手段３１との通話と、住宅親機１の通話手段１０と共用親機３の通話手段４７との通話と、住宅親機１の通話手段１０と集合玄関機４の通話手段５２との通話についても、それぞれ録音の可否を設定することができる。
【００５３】
放送録音手段１３の保護設定手段２２は、放送種別ごと及びグループ識別符号ごとに録音保護の有無を設定することができる。録音保護は、放送録音手段１３の信号記憶領域２０に記憶された放送信号が、後から放送された放送信号によって消去されないように保護する設定である。ここで、録音保護設定の対象となるのは、一斉放送またはグループ放送あるいは個別放送である。さらに、グループ放送のうち、自身に設定されたグループの一部のみを録音保護することができる。
【００５４】
また、保護設定手段２２では、住宅親機１の通話手段１０と玄関子機２の通話手段３１との通話と、住宅親機１の通話手段１０と共用親機３の通話手段４７との通話と、住宅親機１の通話手段１０と集合玄関機４の通話手段５２との通話についても、それぞれ録音保護を設定することができる。
【００５５】
放送録音手段１３の信号記憶領域２０は、放送信号を記憶できる領域を複数有している。図４には信号記憶領域２０の状態を表す図を示している。図中左側は放送信号を録音する前の状態を表し、図中右側は放送信号を録音した後の状態を表している。図４（ａ）は、信号記憶領域２０に空きがある場合について示している。ここでは、信号記憶領域２０に５つの放送信号を録音できるものとしている。
【００５６】
図４（ａ）では、信号記憶領域２０のうち１〜３の領域には既に放送信号が録音されている。各放送信号は、放送の番号順に新しく録音されたものとする。この状態において、放送Ａは、信号記憶領域２０の空いている領域である４の領域に新たに録音される。
【００５７】
図４（ｂ）は、信号記憶領域２０に全て放送信号が記憶されている場合について示している。この場合、放送Ａは、信号記憶領域２０に記憶されている放送信号のうち、最も古い放送信号（放送１）を消去し、該消去によって空いた領域１に新たに録音される。
【００５８】
図４（ｃ）は、信号記憶領域２０に全て放送信号が記憶されており、かつ放送１については録音保護が設定された場合について示している。この場合、放送１は最も古い放送信号であるが、録音保護が設定されているので、消去されない。このため、放送Ａは、信号記憶領域２０に記憶されている放送信号のうち、録音保護が設定されていない中で最も古い放送信号（放送２）を消去し、該消去によって空いた領域２に新たに録音される。
【００５９】
住宅親機１には、録音スイッチ（図示しない）が設けられ、該録音スイッチを操作することにより、共用親機３からの放送につき、録音できる状態となる。録音できる状態になると、放送があった際に、放送受信手段１１は音声出力部１７及び表示部１６での放送を行わず、自動的に放送録音手段１３に放送信号を録音させる。録音スイッチにより共用親機３からの放送を録音できる状態となったとき、玄関子機２との通話については、録音されないが、録音スイッチの操作により、これを放送録音手段１３に録音させるようにしてもよい。さらに、録音スイッチで留守設定ができるように構成した場合には、留守設定の操作を行うことにより、玄関子機２との通話を自動的に録音できるようにしてもよい。
【００６０】
住宅親機１には、再生スイッチ（図示しない）が設けられ、該再生スイッチを操作することで、放送再生手段１４が、放送録音手段１３に録音された放送信号を音声出力部１７及び表示部１６に再生させる。放送再生手段１４は、再生された放送信号については信号記憶領域２０から消去する。また、放送再生手段１４は、信号記憶領域２０の各領域に記憶された放送信号を、古いものから順番に再生する。ただし、再生方法はこれに限られず、放送信号を１つ再生したらそこで停止し、再度再生スイッチを操作することにより、次の放送信号を再生するようにしてもよい。
【００６１】
放送録音手段１３は、放送信号を信号記憶領域２０に記憶した際に、当該放送信号を録音した旨の情報を共用親機３に送信する。また、放送再生手段１４は、信号記憶領域２０に記憶された放送信号を再生したら、当該放送信号を再生した旨の情報を共用親機３に送信する。共用親機３では、どの住戸においてどの放送信号が録音され、また、どの放送信号が再生済みかを確認することができる。これにより、共用親機３において、放送が伝達されたか否かを、住戸ごとに把握することができ、より確実な情報伝達を図ることができる。
【００６２】
住宅親機１では、放送録音手段１３に未再生の放送信号が記憶されている場合、放送再生手段１４により、録音された放送がある旨と、録音された放送がどの放送種別、グループの放送であるかが表示部１６に表示される。利用者は、表示部１６を見ることで、録音された放送の有無、及びどのような放送が録音されているのかを、確認することができる。
【００６３】
このように、住宅親機１で共用親機３からの放送を録音できるようにしたことで、利用者が不在の際にあった放送についても後で確認することができ、インターホンシステムとしての利便性を高くすることができる。また、放送種別やグループ識別符号ごとに録音の可否を設定できるので、必要な情報だけを録音しておくことが可能となる。
【００６４】
以上、本発明の実施形態について説明したが、本発明の適用は本実施形態には限られず、その技術的思想の範囲内において様々に適用されうるものである。
【符号の説明】
【００６５】
１    住宅親機
２    玄関子機
３    共用親機
４    集合玄関機
５    制御装置
６    火災感知器
７    コールボタン
８    ガス漏れ検知器
１０    通話手段
１１    放送受信手段
１２    音量設定手段
１３    放送録音手段
１４    放送再生手段
１５    録音設定手段
１６    表示部
１７    音声出力部
２０    信号記憶領域
２１    書き込み手段
２２    保護設定手段
３０    呼び鈴部
３１    通話手段
３２    グループ設定手段
３３    玄関放送手段
４０    放送送信手段
４１    グループ選択手段
４２    放送種別選択手段
４３    個別選択手段
４４    グループ設定手段
４５    音声入力部
４６    文章入力部
４７    通話手段
５０    呼び鈴部
５１    通話手段
５２    集合玄関放送手段
【図１】
0005888089.tif 000002
【図２】
0005888089.tif 000003
【図３】
0005888089.tif 000004
【図４】
0005888089.tif 000005